(57)【要約】【課題】  ＰＣとステータス情報を交換できる手段を持ち、ステータスや蓄積画像を返却する事で、ＰＣ上に警告を表示して、ユーザーが無意識にコピーデータを消去する事を防止する。更に、蓄積画像を接続されたＰＣに転送して画像を保存する。【解決手段】  携帯端末と通信可能なインターフェイス（以下Ｉ／Ｆ）デバイスとコンピュータをホスト装置として通信可能なＩ／Ｆデバイス、各Ｉ／Ｆデバイスを制御可能な通信制御部を有し、携帯端末より前記Ｉ／Ｆデバイスから受信したデータを格納する保存領域、受信したデータから印刷用のデータを格納する保存領域、印刷デバイス、用紙搬送用副走査デバイス、印刷デバイス用主走査デバイスを有し、前記各デバイスを印刷用データに応じて、制御する制御部を有した印刷装置。【選択図】  図１
2007106038.tif 000002
【特許請求の範囲】
【請求項１】
携帯端末と通信可能なインターフェイス（以下Ｉ／Ｆ）デバイスとコンピュータをホスト装置として通信可能なＩ／Ｆデバイス、各Ｉ／Ｆデバイスを制御可能な通信制御部を有し、携帯端末より前記Ｉ／Ｆデバイスから受信したデータを格納する保存領域、受信したデータから印刷用のデータを格納する保存領域、印刷デバイス、用紙搬送用副走査デバイス、印刷デバイス用主走査デバイスを有し、前記各デバイスを印刷用データに応じて、制御する制御部を有することを特徴とし、更に、パワーオン等の検出手段としてのキーデバイス手段、前記データ保存領域にデータが格納されている時に、格納されたデータを印刷する手段、コンピュータをホスト装置として通信可能な前記Ｉ／Ｆとホストコンピューター間である特定の形式のコマンドを用いて状態情報を伝達する手段、ホストコンピューター上に前記状態情報を表示させる手段、前記受信したデータを格納する保存領域を、印刷格納領域として用途に応じて汎用させる領域制御手段を備え、前記データ保存領域にデータが格納されている時に、前記領域制御手段により前記データ保存領域のデータを破棄する場合において前記状態情報伝達手段によりホストコンピューターに保存領域のデータを破棄する警告を表示することを特徴とする印刷装置システム。
【請求項２】
請求項１の印刷装置システムにおいて、ホストコンピューター上に破棄されるデータの保護の有無を表示する手段を有する時に、ホストコンピューターと印刷装置間で破棄されるデータを転送することを特徴とする印刷装置システム。
【発明の詳細な説明】
【技術分野】
【０００１】
本発明は、携帯電話などの携帯端末から送信された画像データを蓄積し、記録できる記録装置及びその記録制御方法に関するものである。
【背景技術】
【０００２】
従来、印刷装置は、接続されたコンピュータをホスト装置とし、そのホスト装置から送信される画像データを受け取り、その画像データに従って印刷を行なうものが一般的であった。これに対して近年、デジタルカメラとのダイレクト接続やメモリーカードスロットからの印刷などホスト装置を介することなく印刷可能としたものが知られている。
【０００３】
中でもカメラ付き携帯電話で撮影した画像の転送手段として赤外線や無線インターフェイスを備えた携帯電話とダイレクトに画像転送を行ない印刷可能としたインクジェットプリンタの構成が特許文献１に開示されている。
【０００４】
この特許文献１に記載のインクジェットプリンタでは、携帯電話等の端末からダイレクトに画像転送を行ない、画像データを一旦保存領域に格納し、その画像データを復号してイメージデータに展開して印刷を可能にしている。
【０００５】
この特許文献１に記載のインクジェットプリンタでは、画像データを保存領域に格納することから、この保存領域を保持することでキーなどから印刷命令を発することが可能な場合にコピーを行なう事が可能になり再度、携帯端末から画像データを転送する必要がなくなる。このような技術を備えた印刷装置が特許文献２に開示されている。
【０００６】
これらの技術により携帯電話等の端末から画像データをダイレクトに転送し、印刷可能とする装置において、一度転送した画像をキーなどにより再び印刷することも可能になる。
【特許文献１】特開２００５−１４２６０号公報
【特許文献２】特開平１１−２４９８５９号公報
【特許文献３】特開２００２−１７８５７０号公報
【発明の開示】
【発明が解決しようとする課題】
【０００７】
しかし、年々、携帯電話のカメラ機能は向上しており、高画質な画像が撮影可能となっている。このような状況に対応するには、保存領域を拡張する事になる。
【０００８】
しかしながら、安価な印刷装置においては保存領域などを多く持つことが出来ないため、他の処理と使いまわすことを行なっている場合が多い。そのような領域の排他制御については特許文献３に開示されている。
【０００９】
このように領域を排他制御する場合においては、携帯電話から転送された画像データがコピー用に存在しても、他の処理動作時に破棄される。この時、蓄積された画像データ破棄についてユーザに知らせる手段が無い場合、ユーザは無意識に蓄積された画像データを破棄してしまう事になる。
【００１０】
本発明は以上のような状況に鑑みてなされたものであり、携帯電話等の端末から画像データをダイレクトに転送して画像データを蓄積し印刷を可能とし、更にキーによりコピー可能とする印刷装置において蓄積データの消去に関する警告及び保護を提供することを目的としている。
【課題を解決するための手段】
【００１１】
上記の目的を達成するために、本発明は以下の構成からなる。
【００１２】
すなわち、携帯端末と通信可能なインターフェイス（以下Ｉ／Ｆ）デバイスとコンピュータをホスト装置として通信可能なＩ／Ｆデバイス、各Ｉ／Ｆデバイスを制御可能な通信制御部を有し、携帯端末より前記Ｉ／Ｆデバイスから受信したデータを格納する保存領域、受信したデータから印刷用のデータを格納する保存領域、印刷デバイス、用紙搬送用副走査デバイス、印刷デバイス用主走査デバイスを有し、前記各デバイスを印刷用データに応じて、制御する制御部を有した印刷装置。更に、パワーオン等の検出手段としてのキーデバイスを有し、前記データ保存領域にデータが格納されている時に、格納されたデータを印刷する手段、コンピュータをホスト装置として通信可能な前記Ｉ／Ｆとホストコンピューター間である特定の形式のコマンドを用いて状態情報を伝達する手段、ホストコンピューター上に前記状態情報を表示させる手段、前記受信したデータを格納する保存領域を、印刷格納領域として用途に応じて汎用させる領域制御手段を備えた印刷装置。
【発明の効果】
【００１３】
以上、説明した実施例によれば、携帯端末から受信した蓄積データの消去をホスト装置に通知することで、無意識に蓄積された画像データを破棄してしまうことが無くなる。更に、携帯端末から受信した蓄積データをホスト装置に転送することで蓄積データを保護する事が可能になる。
【発明を実施するための最良の形態】
【００１４】
（実施例１）
以下、添付図面を参照して本発明の実施形態について詳細に説明する。
【００１５】
なお、実施形態においては、印刷装置としてインクジェットプリンタを例に挙げて説明を行なうが、本発明はこれに限定されることはない。
【００１６】
図１は本発明の全体概要図である。
【００１７】
本発明に適応可能な印刷装置（１０１）は、携帯端末（１０５）と通信可能なＩ／Ｆデバイス（１０２）、コンピュータ（１０６）をホスト装置として通信可能なＩ／Ｆデバイス（１０３）、パワーオン等の検出手段としてのキーデバイス（１０４）を備えている。
【００１８】
図２は本発明に適応可能な印刷装置（１０１）の構成図である。
【００１９】
携帯端末（２０１）のＩ／Ｆデバイス（２０２）から送信されるデータを、印刷装置（２０６）は、Ｉ／Ｆデバイス（２０７）を介して受信する。このＩ／Ｆデバイスは赤外線通信プロトコルに準拠した赤外線通信や周波数２．４ＧＨｚ帯においてスペクトラム拡散方式を適用した通信などのＩ／Ｆである。これらのＩ／Ｆデバイスを制御するのがＩ／Ｆデバイス制御部（２０９）である。このＩ／Ｆデバイス（２０７）を介して受信されたデータは、一旦、受信データ格納領域（２１０）に順次格納される。格納されたデータは、データ解析部（２１１）により読み出され、内容を特定単位で処理され、印刷用のデータへ変換される。変換されたデータは、印刷用データ格納領域（２１２）へセットされる。印刷エンジンコントロール部（２１３）は、データ解析部（２１１）からデータ作成完了のタイミングを告知され、作成されたデータを印刷用データ格納領域（２１２）から取得する。印刷エンジンコントロール部（２１３）は、印刷用データに応じて、制御を司る印刷エンジン用のデバイス、印刷デバイス（２１４）、印刷部稼動デバイス（２１５）、用紙制御デバイス（２１６）をコントロールして印刷物を生成する。
【００２０】
更に、キーデバイス（２１８）より入力されたキー情報を制御するキー入力処理部（２１７）はキーに割り当てたコピー印刷命令を受信するとＩ／Ｆデバイス制御部（２０９）に対してコピー印刷命令を通知し、受信データ格納領域（２１０）にデータが格納されている時は、前述の手順で格納されたデータをデータ解析部（２１１）により読み出し再び、印刷物を生成する。
【００２１】
また、ホスト装置（２０３）のＩ／Ｆデバイス（２０４）から送信されるデータを印刷装置（２０６）はＩ／Ｆデバイス（２０８）を介して受信する。このＩ／ＦデバイスはＵＳＢ（Ｕｎｉｖｅｒｓａｌ  Ｓｅｒｉａｌ  Ｂｕｓ）など双方向での通信が可能なＩ／Ｆである。このＩ／Ｆデバイス（２０８）を制御するのもＩ／Ｆデバイス制御部（２０９）である。このＩ／Ｆデバイス（２０８）を介して受信されたデータはＩ／Ｆデバイス制御部（２０９）で印刷データか機器間のある特定の形式のコマンドを用いて状態情報を伝達するステータスコマンドかを判別し、ステータスコマンドの場合はステータスコマンド処理部（２１９）へデータを渡す。ステータスコマンド処理部（２１９）ではステータスを解析し、ある特定の形式の応答データを作成してＩ／Ｆデバイス（２０８）を介してホスト装置（２０３）へ送信する。これにより、ホスト装置（２０３）に対して印刷装置（２０６）の状態情報を伝達する事が可能になる。ホスト装置（２０３）はこの状態情報を表示するステータス表示（２０５）により印刷装置（２０６）の状態情報を通知する事が出来る。
【００２２】
ホスト装置（２０３）から送信されたデータをＩ／Ｆデバイス制御部（２０９）で印刷データかステータスコマンドかを判別した時に、印刷データの場合は受信データ格納領域（２１０）にはデータを格納せず、データ解析部（２１１）が直接受信バッファより読み出し、内容を特定単位で処理され、印刷用のデータへ変換される。変換されたデータは、印刷用データ格納領域（２１２）へセットされる。印刷エンジンコントロール部（２１３）は、データ解析部（２１１）からデータ作成完了のタイミングを告知され、作成されたデータを印刷用データ格納領域（２１２）から取得する。印刷エンジンコントロール部（２１３）は、印刷用データに応じて、制御を司る印刷エンジン用のデバイス、印刷デバイス（２１４）、印刷部稼動デバイス（２１５）、用紙制御デバイス（２１６）をコントロールして印刷物を生成する。
【００２３】
以上、説明したように受信データ格納領域（２１０）は携帯端末（２０１）から送信されるデータのみを格納する。携帯端末（２０１）から送信されるデータは画像やメール等多種にわたるが、本実施例では画像データのみを保存し、他のデータに関しては印刷終了後データを破棄している。データの保存や破棄に関連して、受信データ格納領域（２１０）の管理は格納領域コントロール部（２２０）で行なっている。それにより、ホスト装置（２０３）からデータ送信された時に印刷用データ格納領域（２１２）を拡大し、また携帯端末（２０１）からデータ送信された時には、受信データ格納領域（２１０）を増減させたりなどの管理を行なうことで、少量の保存領域で様々な処理に対応している。
【００２４】
しかしながら、保存領域を排他制御して様々な処理に対応する時に、受信データ格納領域（２１０）に蓄積データがある場合にもホスト装置（２０３）から送信されるデータによっては印刷用データ格納領域（２１２）を拡大しなくてはならない場合がある。
【００２５】
そのような状況において、この蓄積データの消去を警告し、データを保護する方法を提案している。
【００２６】
以下、本発明の流れを説明する。
【００２７】
図３は本発明の携帯端末からのデータ受信した時の印刷装置の流れ図である。
【００２８】
印刷装置（２０６）は、Ｉ／Ｆデバイス（２０７）を介して携帯端末からデータを受信したならば、印刷可能なデータか判断する。（Ｓ３０１）判断の方法として、Ｉ／Ｆデバイス（２０７）が赤外線通信の場合は、画像データ等１つのオブジェクトをOBEXプロトコル( Object Exchange Protocol  ファイル交換プロトコル )を用いて転送する場合がある。このような時はオブジェクトの名前やファイルタイプ等の情報を予め交換するので、このような情報から印刷可能なデータか判断を行なう。
【００２９】
印刷不可能なデータの場合はＩ／Ｆデバイス（２０７）を介して通信上のNG応答を返却する。（Ｓ３０８）
印刷可能なデータであったならば、既に受信データ格納領域（２１０）に蓄積データがあるか判断する。（Ｓ３０２）
蓄積データが無い場合は、格納領域コントロール部（２２０）より受信データ格納領域（２１０）として格納領域を取得する。（Ｓ３０３）格納領域が確保出来たならばデータを取得し、その格納領域に保存していく。（Ｓ３０４）全てのデータが揃ったならば、印刷処理を行ない（Ｓ３０５）内部的に蓄積データありの状態として（Ｓ３０６）次のデータ受信に備える。（Ｓ３０７）
蓄積データがある場合は、ステータスコマンド処理部（２１９）へ通知し、Ｉ／Ｆデバイス（２０８）を介してホスト装置（２０３）へデータの破棄を通知する。（Ｓ３０９）
蓄積データの保護処理を行なうか否かの応答を、印刷装置（２０６）は、Ｉ／Ｆデバイス（２０８）を介して受信したならば、その内容を判断する。（Ｓ３１０）
保護処理を行なわない場合は、蓄積データのある格納領域に上書き保存していく。（Ｓ３０４）全てのデータが揃ったならば、印刷処理を行ない（Ｓ３０５）内部的に蓄積データありの状態として（Ｓ３０６）次のデータ受信に備える。（Ｓ３０７）
保護処理を行なう場合は、ステータスコマンド処理部（２１９）へ通知し、Ｉ／Ｆデバイス（２０８）を介してホスト装置（２０３）へ蓄積データを転送する。（Ｓ３１１）
ステータスコマンド処理部（２１９）は、ホスト装置（２０３）上で印刷装置（２０６）の状態を検知し、印刷装置（２０６）の状態を示すメッセージを表示させるための印刷装置状態監視プログラムが、印刷装置（２０６）の状態情報を取得するために、印刷装置（２０６）に対して状態情報を送信するように指示するコマンドを印刷装置（２０６）へ送信し、コマンドを受信した印刷装置（２０６）から送信されてくる状態情報を文字や図形等の表示可能な形に変換して、ホスト装置（２０３）のステータス表示（２０５）に表示するために、印刷装置（２０６）の送受信コマンドを処理している。
【００３０】
以下、このコマンドの流れを図４に沿って説明する。
【００３１】
印刷装置（２０６）の状態情報を取得するために、印刷装置（２０６）に対して状態情報を送信するように指示するコマンドを印刷装置（２０６）へ送信する。（Ｓ４０１）
印刷装置（２０６）から状態情報送信する。（Ｓ４０２）
印刷装置（２０６）から蓄積データの破棄を通知する。（Ｓ４０３）
ホスト装置（２０３）は蓄積データ破棄の通知をうけて印刷装置状態監視プログラムがメッセージを表示する。（Ｓ４０４）このメッセージで蓄積データの保護を行なうか表示する。
【００３２】
保護処理を行なう（ＹＥＳが選択された）場合は、ホスト装置（２０３）から保護処理開始要求コマンドを送信する。（Ｓ４０５）
保護処理を行なわない（ＮＯが選択された）場合は、保護処理不要コマンドを送信する。（Ｓ４０５）
ホスト装置（２０３）から保護処理開始要求コマンドを要求されたなら印刷装置（２０６）は状態情報として蓄積データを転送開始する。（Ｓ４０６）
以上のように、ステータスコマンドを送受信する事で蓄積データの破棄をホスト装置（２０３）上に警告を表示すること、そして印刷装置（２０６）を介して携帯端末（２０１）からのデータをホスト装置（２０３）に保存することが可能になる。
【００３３】
図３では携帯端末（２０１）から新たにデータを受信する時に蓄積データの破棄警告や保護処理の流れを説明したが、蓄積データがある状態で他の動作処理が実行される時の破棄警告や保護処理の流れを以下に説明する。
【００３４】
図５は本発明の蓄積データあり状態で他の処理開始時における印刷装置の流れ図である。
【００３５】
印刷装置（２０６）が受信データ格納領域（２１０）に蓄積データを保存した状態で他の処理が実行され、受信データ格納領域（２１０）の蓄積データを破棄するまでの流れである。他の処理の一例としてキーによるテストプリント要求があった場合で説明する。
【００３６】
印刷装置（２０６）は、キーデバイス（２１８）よりテストプリント要求を受信し処理実行に際して格納領域コントロール部（２２０）において印刷用データ格納領域（２１２）確保の為に、Ｉ／Ｆデバイス制御部（２０９）に対して蓄積データの有無確認を行なう。（Ｓ５０１）
蓄積データが無い場合はテストプリント処理を実行する。（Ｓ５０６）
蓄積データがある場合は、ステータスコマンド処理部（２１９）へ通知し、Ｉ／Ｆデバイス（２０８）を介してホスト装置（２０３）へデータの破棄を通知する。（Ｓ５０２）
蓄積データの保護処理を行なうか否かの応答を、印刷装置（２０６）は、Ｉ／Ｆデバイス（２０８）を介して受信したならば、その内容を判断する。（Ｓ５０３）
保護処理を行なう場合は、ステータスコマンド処理部（２１９）へ通知し、Ｉ／Ｆデバイス（２０８）を介してホスト装置（２０３）へ蓄積データを転送する。（Ｓ５０４）
保護処理を行なわない場合は蓄積データがある受信データ格納領域（２１０）を開放する。（Ｓ５０５）そして、テストプリント処理を実行する。（Ｓ５０６）
以上により、携帯端末（２０１）から新たにデータを受信する時と同様に、ステータスコマンドを送受信する事で蓄積データの破棄をホスト装置（２０３）上に警告を表示すること、そして印刷装置（２０６）を介して携帯端末（２０１）からのデータをホスト装置（２０３）に保存することが可能になる。
【図面の簡単な説明】
【００３７】
【図１】本発明の全体概要図。
【図２】本発明に適用可能な印刷装置の構成図。
【図３】本発明の流れ図：携帯端末からの受信。
【図４】本発明の流れ図：ステータスコマンド。
【図５】本発明の流れ図：蓄積データありで他の処理開始時。
【図１】
2007106038.tif 000003
【図２】
2007106038.tif 000004
【図３】
2007106038.tif 000005
【図４】
2007106038.tif 000006
【図５】
2007106038.tif 000007